(57)【要約】【課題】低硬化収縮の光硬化性樹脂を予めシート状に調整してホログラム記録層に用い、オプチカルフラット板で保持基板間の平行度を調整し、光学的に平坦なホログラム記録媒体を提供する。【解決手段】ホログラム記録層の硬化収縮率を１．０％以下に調整し、記録に関与しない部分を硬化することで、記録層の厚みを一定に保持でき、湿度や酸素などの外部環境の影響を低減できるため、安定した記録特性を得ることができる。さらには、記録層周縁部が硬化し、未硬化状態にある記録層のクリープを抑制するので、ホログラム干渉を利用して読み出すホログラム記録で問題になる保持基板間の傾き（平行度）を一定に保持することができる。【選択図】　　　　図１
2004029476.tif 000002
【特許請求の範囲】
【請求項１】
ホログラム記録をするためのホログラム記録層を２枚の保持基板で保持する構造のホログラム記録媒体において、ホログラム記録層が光硬化性有機材料からなり、前記保持基板と接しない前記ホログラム記録層周縁部の近傍を予め硬化せしめたことを特徴とするホログラム記録媒体。
【請求項２】
請求項１記載のホログラム記録媒体において、オプチカルフラットガラス板で挟んだ状態で、２枚の保持基板の平行度が１０μｍ以下になるように調整し、この状態を保持したまま、ホログラム記録層周縁部の近傍を硬化せしめ、２枚の保持基板の平行度が１０μｍ以下であることを特徴とするホログラム記録媒体。
【請求項３】
請求項１及び請求項２記載のホログラム記録媒体において、前記ホログラム記録層の硬化収縮率が１．０％以下の光硬化性樹脂からなることを特徴とするホログラム記録媒体。
【請求項４】
請求項１から請求項３記載のホログラム記録媒体において、前記記録媒体が可視光の光線透過率が１％以下のカートリッジあるいはケースに収納されていることを特徴とするホログラム記録媒体。
【請求項５】
請求項１から請求項３記載のホログラム記録媒体において、前記記録媒体が波長７００ｎｍから８００ｎｍでの光線透過率が２０％以上かつ５０％以下、波長６００ｎｍ以下の光線透過率が１％以下のカートリッジあるいはケースに収納されたことを特徴とするホログラム記録媒体。
【請求項６】
請求項４記載のホログラム記録媒体において、カートリッジの一部に波長７００ｎｍから８００ｎｍでの光線透過率が２０％以上かつ５０％以下、波長６００ｎｍ以下の光線透過率が１％以下の部材を用いたカートリッジに収納されたことを特徴とするホログラム記録媒体。
【請求項７】
ホログラム記録をするためのホログラム記録層を２枚の保持基板で保持する構造のホログラム記録媒体において、光入射側と対向する側の保持基板表面にサーボパターンが形成されており、かつサーボパターンが記録中心からずれた位置に連続溝あるいはピット列で構成されていることを特徴とするホログラム記録媒体。
【請求項８】
請求項７記載のホログラム記録媒体を用いて記録、再生するシステムにおいて、前記連続したサーボパターンと隣接する連続サーボパターンとの間に記録ビームを配置し、前記連続サーボパターンにサーボビームの焦点を合致させ、連続的にサーボを行ないながら、サーボパターン間の上に配置されたホログラム記録層に情報を記録、再生することを特徴とするホログラム記録媒体の記録再生方法。
【請求項９】
請求項８記載の記録再生を行なうことを特徴とするホログラム記録再生装置。
【請求項１０】
２次元的なパターンを用いてデータを記録再生するホログラム記録装置において、再生した２次元的な広がりを有する記録パターンから記録したデータを順次取り出すための手段として、２次元的な広がりを有する同期パターンを記録データとともに配置し、この同期パターンの検出から記録データ配置マトリックスを一連の連続するデータ列として得ることを目的として、記録すべきデータ列の前端、後端、そしてそれぞれに挟まれたデータ列配置の中に少なくとも２個以上の２次元的な広がりを有する同期パターンを記録データ記録位置に対応して配置することを特徴としたデータパターンを記録再生するホログラム装置
【請求項１１】
上記ホログラム装置において、ホログラム再生パターンを総て捕らえられるように配置した受光素子を配置して、再生パターンを検出する場合に、該同期パターンを再生パターンの中から見出してこれを基準として記録データのデータ列として再現することを特徴とするホログラム装置。
【請求項１２】
該同期パターンはユニークなパターンであって、コーディングした記録データ列においては、発生することの無いパターンを使用していることを特徴とするホログラム装置。
【請求項１３】
該同期パターンは記録パターンの中に配置する位置により、それぞれ認識可能にパターン内容を変えていることを特徴とするホログラム装置。
【請求項１４】
請求項１あるいは請求項７記載のホログラム記録媒体を用いて記録、再生するシステムにおいて、複数の記録情報で構成されるホログラム像を検出する素子の複数個を対称になる配置で１つの単位として、前記記録情報の１つと一対一の対応をさせ、記録情報の前記単位素子で検出した信号が対称になるように信号補正処理したことを特徴とする記録再生方法。
【発明の詳細な説明】
【０００１】
【発明の属する技術分野】
本発明は、ホログラム記録媒体を用いて情報を記録再生するための記録再生方法及びホログラム記録媒体に関し、特に詳しくは、ホログラム記録に好適な媒体構造及び記録再生時のサーボ方法・記録再生方法に関する。
【０００２】
【従来の技術】
近年、青色半導体レーザーの実用化に伴い、光ディスクなどの光記録媒体の高密度化が急激に進んでいる。光記録媒体の高密度化手法の一つとして、例えば、光スポット径を微小化して高密度に情報を記録する方法がある。光記録の場合には光スポット径はλ／ＮＡで表される。ここでλはレーザーの波長を示し、ＮＡは対物レンズの開口数を示す。したがって、レーザー光を短波長化するか、または対物レンズのＮＡを大きくすれば光スポットを微小化することができ、高密度記録が可能となる。
【０００３】
光ディスクの高密度化に伴って、光ディスクのマスタリング工程においてもピットやグルーブの微細化による高密度化が必須となる。光ディスクのマスタリング工程では、通常の記録再生用のドライブとは異なり、専用の原盤露光装置（カッティングマシンまたはレーザービームレコーダー（ＬＢＲ）とも言う）を使用する。原盤露光装置に用いられている対物レンズのＮＡは、通常０．９程度であり、対物レンズの開口数をこれ以上高めるのは難しい。そのため、露光装置で用いるレーザーの短波長化が高密度化の有効な手段となる。最近は波長が２００ｎｍ台のＤｅｅｐ−ＵＶ領域の光源が開発されつつある。
【０００４】
一方、フォトケミカルホールバニング（ＰＨＢ）を用いた波長多重記録、多段階に形成したピットの深さの位相差を利用した多値記録、ホログラムを利用した多値記録についても、以前より研究開発が進められている。このような多重記録では１つの記録ドメインに多くの情報を記録するため、前記の一般的な光ディスクに比べて、ビームスポットサイズが大きくできるので、汎用のＬＢＲでサーボ用のパターン形成が可能である。しかしながら、多段階の信号レベルを検出するため、検出器した信号の分解能や信号対ノイズ比（ＳＮＲ）に問題があり実用化できていなかった。
【０００５】
近年、ホログラム記録光を平行光ではなく収束光を用いて、その角度分散を利用した角度多重記録の開発が進展している。角度多重記録を用いた場合、米国特許第５７１９６９１号や米国特許第５７０３７０５号に開示されているように、記録されたホログラムパターンを発生する干渉条件が異なるため、隣接記録点のパターンに影響されず、重ね書きが可能になり、高密度記録に適している。しかしながら、入射面・出射面のうねりや傾きなど入射面が平坦でない場合、読み出し用の参照光の波面が歪んでホログラム記録層に記録されたホログラムデータが干渉条件からずれて正常に読み出せないという問題があった。また、ホログラム記録の記録層は波長６００ｎｍ以下の光で硬化するため、可視光で記録特性が変化すること、かつ、高屈折率成分が優先的に硬化する設計になっており、完全な硬化固形物ではなく僅かに流動性を有しているので、保管状態によっては記録層のクリープや記録層を保持する面の傾きあるいは環境湿度の吸湿によって、記録層のホログラムデータが記録時の干渉条件位置からずれて正常に読み出せない可能性がある。
【０００６】
かかる問題を解決するために、記録層の傾きに応じて記録再生光学系のチルト制御をするチルト補償機構がホログラム記録においても必須となる。しかしながら、チルト補償だけでは十分とはいえず、ホログラム記録層を保持する２枚の保持基板の光学グレードでの平坦性、平行度が要求される。このため、保持基板としては、吸水性、光学歪の小さいアモルファスポリオレフィンが好適であり、光ディスクの射出成形技術を適用すれば、光学グレードの平坦性、平行度を確保できる。ところが、前述のとおり、ホログラム記録層は未硬化状態であるため、環境の影響により入射面・出射面である保持基板のうねりや傾きが発生するので、ホログラム記録層を保持する構造や環境の影響を遮断する構成が重要になる。本発明では、硬化収縮率１．０％以下の光硬化性樹脂をホログラム記録層に用い、記録に寄与しないホログラム記録層の周縁を予め硬化させ、保持基板表面に透湿防止層を形成することで、環境中の湿度の影響や保管中の記録層のクリープを抑制することができる。
【０００７】
また、可視光による記録特性の劣化に対してはカートリッジや包装材の遮光構造が必要になる。特に、媒体全面を一度に記録する場合を除き、何度も追記を繰り返す場合は、カートリッジの遮光構造が重要になる。遮光特性の高いカーボンブラックを配合したポリカーボネート樹脂でカートリッジを成形することにより光線透過率１％以下に抑えることができる。ところで、カートリッジは可視光に対して完全に遮光する必要はない。サーボに用いる赤色光ではホログラム記録層は硬化反応を起こさないので、カーボンブラックの代りに赤色顔料を配合し、波長７００ｎｍ付近の赤色光を透過するスケルトンタイプの赤色カートリッジやカートリッジの一部を赤色スケルトンにすることも可能である。
【０００８】
【発明が解決しようとする課題】
ホログラム記録で光硬化性樹脂を記録層に用いることは米国特許第５３３９３０５号に開示されている。しかしながら、光硬化性樹脂固有の問題もある。例えば、光硬化性樹脂は硬化反応によって硬化収縮を発生し、この収縮応力によって歪が生じる。一定間隔を開けた２枚の保持基板間にフィーダーポンプを用いて高粘性の光硬化性樹脂を注入して記録層を形成することも可能であるが、材料供給に必要な時間を考えると量産には不適であり、生産性を上げるために光硬化性樹脂の粘度を下げると、さらにクリープが発生しやすくなることと、保持基板重量により、記録層の厚みの保持が困難となる。
【０００９】
このため、別工程で調整したマトリックス高分子材料に記録点となる高屈折率モノマやオリゴマを均一分散させた固体に近い樹脂シートを記録層に用いるのが好適である。この場合、シート状になった記録層を保持基板で挟み込む構造になり、シート状記録層を打抜いた余分な材料は再溶解してリサイクル使用が可能であることも利点である。
【００１０】
また、角度多重を用いたホログラム記録では、多重化記録されたホログラム情報の信頼性を高めるためにホログラム記録層は１ｍｍ以上の厚みになる。このため、シート化したホログラム記録層を２枚の保持基板に別々に貼り付け、減圧下でホログラム記録層同士を重ねることで、ホログラム記録層の厚膜化にも対応できる。
【００１１】
ホログラム記録のデータ再生は二次元パターンとして得られる。再生するための受光素子として、つまり二次元パターンを検出するためのデバイスとしては撮像管やＣＣＤ素子によるものが考えられ、パターンからデータを抽出するためにパターンをデコードして検出する。しかしながら再生パターンはデコードするための基準を持たなければデータを再生することは困難である。再生パターンと検出デバイスの位置関係は常に一定とはならず、媒体の表面傾斜やデバイスの取り付け状況により様々な位置関係を作り出すことになる。デバイスの絶対位置情報でそのまま再生データをデコードすることはデータの再生信頼性を損ねることになりデータの位置を特定する構造が必要である。
【００１２】
本発明は、かかる点に鑑みてなされたものであり、その目的は、低硬化収縮の光硬化性樹脂を予めシート状に調整してホログラム記録層に用い、オプチカルフラット板で保持基板間の平行度を調整し、記録に関与しないホログラム記録層の周辺部を硬化させることで、光学的に平坦なホログラム記録媒体を提供することにある。また、保持基板に形成されたサーボパターンを連続的にすることと、ホログラム記録層に記録する情報の一部に基準パターンを入れることで、ホログラム記録情報の記録及び読み出しにおいて信頼性の高い記録再生方法を提供することにある。そして記録したパターン情報から正確なデータ再生を得ことにある。
【００１３】
【課題を解決するための手段】
本発明の第１の態様に従えば、ホログラム記録層の硬化収縮率を１．０％以下に調整し、記録に関与しない部分を硬化することで、記録層の厚みを一定に保持でき、湿度や酸素などの外部環境の影響を低減できるため、安定した記録特性を得ることができる。
【００１４】
さらには、記録層周縁部が硬化し、未硬化状態にある記録層のクリープを抑制するので、ホログラム干渉を利用して読み出すホログラム記録で問題になる保持基板間の傾き（平行度）を一定に保持することができる。
【００１５】
また、硬化収縮率が小さいので、収縮率分布によって生じる部分的な応力や光入射側保持基板の傾き（平坦度）も抑制できる。
【００１６】
上述のように、硬化収縮が少ないことや記録層周縁部が予め固まっているため、記録層の厚み方向の安定性が確保でき、ホログラム記録を行なった時の記録位置の変化が小さい信頼性の高いホログラム記録媒体の作製が可能である。
【００１７】
本発明の第２の態様に従えば、記録部に平行して連続なサーボパターンを保持基板に設けることにより、記録再生において安定したサーボ特性が得られる。
【００１８】
本発明のサーボパターンは、ホログラム記録される位置から離れた平行な位置にある保持基板上のサーボパターンを溝やピット列で連続的に形成しているため、ホログラムの干渉の影響を受けにくい。かつ、一定間隔でサーボ領域を設けた場合に比べ、サーボ特性が安定する。
【００１９】
また、保持基板上のサーボパターンだけではなく、記録するホログラム情報に基準パターンを組み込むことで、ホログラム情報の記録再生精度が向上する。
本発明の記録・再生装置においては、再生パターンから正確に記録データ情報を再現するための同期手段を構成し、この同期パターンをホログラム記録時にデータと一緒に記録することで再生時のデコード処理を正確に実施することができる。
【００２０】
【発明の実施の形態】
以下、本発明の方法について実施例により説明するが、本発明はこれに限定されるものではない。
【００２１】
【実施例】
本発明の実施形態１に従うホログラム記録媒体の概略構造を図１に示す。ホログラム記録層（１０）を保持する入射側保持基板（２０）及びサーボパターン（３３）を有する保持基板（３０）はそれぞれ、別工程で作製される。
【００２２】
ホログラム記録層（１０）は、表１に示す組成の樹脂を有機溶剤に溶解し、十分に攪拌して各成分を混合したのち、離型フィルム上に塗布する。乾燥炉で溶剤を除去して、厚さ１．５ｍｍのシート状に調整する。この上に離型フィルムを置き、外径φ１３０ｍｍ、内径φ１５ｍｍのドーナツ状に打抜く。
【００２３】
【表１】
2004029476.tif 000003
【００２４】
ホログラム記録層（１０）を保持する光入射側保持基板（２０）とサーボパターン付き保持基板（３０）は、それぞれアモルファスポリオレフィン樹脂の射出成形によって外径φ１３０ｍｍ、内径φ１５ｍｍ、厚さ１ｍｍに形成される。サーボパターン付き保持基板（３０）の場合は、図２に例示するサーボパターン（３２）を表面に形成したスタンパ（３１）を用い、保持基板（３０）表面にサーボパターン（３３）を転写させて形成する。
【００２５】
まず、光入射側保持基板（２０）の光入射面（２１）上に防湿層として誘電体膜（２２）をスパッタにより積層し、その上にスピンコート法で保護膜（２３）を形成する。サーボパターン付き保持基板（３０）も保持基板（２０）と同様、サーボパターン（３３）面上に防湿層として誘電体膜（３４）をスパッタにより積層し、その上にスピンコート法で保護膜（３５）を形成する。
【００２６】
次いで、防湿処理したサーボパターン付き基板（３６）の未処理面（３７）上に内径孔位置を合わせて、片側の離型フィルムを外したホログラム記録層（３０）を減圧下で、泡が入らないように貼り合わせる。さらに、もう一方の離型フィルムを外した上に、光入射側保持基板（２０）の未処理面（２４）を重ね、減圧下で貼り合せる。このようにして貼り合せたホログラム記録媒体（４０）の両面にオプチカルフラットガラス板（４３）を重ね、赤色レーザ干渉光を照射して平行度を測定し、φ８０ｍｍの範囲で測定した平行度が１０μｍ以下、すなわち、入射する青色レーザのスポット約φ１μｍにおいて平行度が波長の４分の１以下になったところで、φ１５ｍｍの内周部（４１）及びφ１３０ｍｍの外周部（４２）に青色レーザを照射して、記録に関与しないホログラム記録層周縁部を硬化させる。また、予め硬化させた記録層（４１）（４１）の上下に位置する保持基板（２０）及び（３０）の周縁部に黒系、青系、濃緑系の青色光を吸収しやすい顔料を含む樹脂層或いは反射防止膜をコーティングすることで、周縁部からの漏れ光によるノイズを低減することができる。本実施例では、シート上の記録層を１枚にしているが、半分の厚みでぞれぞれの保持基板に貼り合わせたのち、２枚を貼り合せてもよく、ホログラム記録の高密度化において、記録層が厚膜化した際には好適である。また、特開２００２−６７１６９に開示されるような平坦性と緩衝性を有するヘッドを用いて、ホログラム記録層（１０）と保持基板（２０）、（３０）を貼り合わせることで、保持基板表面の平坦性を保ち、傷の発生も防止できる。
【００２７】
以上のように、ホログラム記録層に用いる光硬化性樹脂の硬化収縮率を１％以下にした媒体では保持基板の平行度が良好であるが、比較例に用いた硬化収縮率が１．４％と３％の媒体は収縮が大きすぎるため、平行度を１０μｍ以下にすることができなかった。
【００２８】
周縁部を硬化させたホログラム記録媒体は、カーボンブラックのような遮光特性に優れたフィラーを３０重量％以下充填したポリカーボネート樹脂を射出成形した図３に示す遮光カートリッジ（５０）に収納される。遮光カートリッジ（５０）の光線透過率は１％以下になっているので、ホログラム記録媒体（４０）のホログラム記録層（１０）は自然光下でも記録特性が変化することはない。さらに、青色レーザの吸収率の高い黒系統、青系統、濃緑系統の顔料を含む樹脂または反射防止膜をカートリッジ内面にコーティング、或いは、カートリッジ内面にホログラム干渉面に直交する方向に回折パターンまたは微細な凹凸を形成することで、ホログラム光の散乱、乱反射によるノイズを低減でき、ホログラム情報の記録再生の信頼性を改善することができる。ここで、ホログラム記録層（１０）は波長６５０ｎｍ以上の赤色系の光には反応しないので、カーボンブラックの代りに赤色顔料を充填したポリカーボネート樹脂でカートリッジを作製すれば、波長７００ｎｍ近傍の光線透過率が２０〜５０％のスケルトンカートリッジ（５０’）にすることも可能であり、カートリッジのパーツの一部に採用してもよく、これにより内部の状態を目視することができるようになる。特に、全面に記録したホログラム記録媒体（４０）は全面を青色光で硬化させ、ホログラム層を安定化させてしまうので、記録後の媒体管理に有用である。また、アルミラミネートフィルムで作製された袋（５１）に封入することで、記録前の遮光性は十分確保できる。
【００２９】
本発明の実施形態２に従うホログラム記録媒体の概略構成を図４に示す。記録像（６０）１つに１メガバイト以上の情報が記録され、複数の記録像が集合したブロック（６１）を形成する。これらのブロックは連続的に配置されるが、これらの記録トラック（６２）は保持基板（７０）の２つのサーボパターン（７３）と溝（７４）に対応した位置の中間に配置される。すなわち、焦点位置にあるサーボパターン溝（７３）にフォーカスさせたサーボ用赤色レーザビーム（８０）とホログラム記録を行なう記録用青色レーザビーム（８１）、参照用青色レーザビーム（８２）の入射位置をトラックに直交方向にずらし、サーボパターン溝（７３）と（７４）の中間位置に配置させることで、この位置に対応するホログラム記録層に記録トラック（６２）に記録がなされる。サーボ用赤色レーザビーム（８０）は記録トラック（６２）とずれた位置にあるので、記録時に生じるホログラム干渉像の影響を受けにくくなり、サーボが安定する。ここで、サーボパターン溝（７３）（７４）を信号変調したピット列（７５）で形成し、記録ブロックのアドレス情報として利用することも可能である。
【００３０】
本発明の実施形態３に従うホログラム記録情報パターンに基準パターンあるいは同期パターンを入れた例を図５〜図７に示す。
【００３１】
図６，７において、再生するための受光素子としてＣＣＤによる再生処理を例に同期パターンを付加した場合を説明する。受光素子すなわちＣＣＤ素子１は二次元的な広がりを有しておりＸ，Ｙ方向に分割したエレメントの集合体とする。この受光素子の集合体の中に再生ホログラムパターン２は投射される。図６において再生ホログラムパターン２には弁別できるユニークな二次元パターン２ａ，２ｂ，２ｃ，２ｄと記録データ情報３を少なくとも含まれる場合を示している。複数の同期パターンは記録データ情報の記録位置を特定するために記録データ情報と共に記録され、ここでは四角形の記録情報パターンに対して情報の前端・後端とその間の補完する位置に設けた場合を示している。すなわち四角形の角に対応して同期パターンを配し、それぞれは異なるパターンを用いてデータの始端と後端を明確に示す場合を説明している。ここでは四角のホログラムパターンで説明しているが、特に四角でなくても構わない。円形や多角形で記録しても同様である。パターンの大きさが大きくなる時には同期パターンが足らなくなる場合がある。つまり再生パターンが変形してリニアリティを損ねる恐れがある場合は、必要に応じて多数の同期パターンを用いることができる。図７にはこのような場合を想定して同期パターンとして２ｅ，２ｆを図６に追加した場合を示した。
【００３２】
ここで追加した同期パターンもそれぞれユニークなパターンとして設けているが、同じパターンを繰り返し用いても最終的なデコードするための位置情報が得られることに支障が無い限り問題はない。
【００３３】
記録データ情報３は図６，７に示す如く同期パターンに囲まれた領域で説明したが、特にこれに拘るわけではなく、記録データ情報パターンの中に設けても、受光素子との相対位置を求めることができてデコードが可能であれば良い。
【００３４】
従ってホログラム再生パターンの同期パターン以外の領域総てを記録データ情報３とすることもできる。図６，７では判り易い説明をするために領域的に分離して書いている。
【００３５】
【発明の効果】
以上、本発明の方法について具体的に説明したが、本発明はこれに限定されるものではない。例えば、本発明では、ディスク形状の媒体を例に取って説明したが、矩形媒体として、面内の直交２軸方向に媒体を駆動する装置・システムに用いることが可能である。
【図面の簡単な説明】
【図１】本発明の実施形態１に従うホログラム記録媒体の概略構造図である。
【図２】本発明の実施形態１に従うホログラム記録媒体のサーボパターン例である。
【図３】本発明の実施形態１に従うホログラム記録媒体の遮光カートリッジの概略図である。
【図４】本発明の実施形態２に従うホログラム記録媒体の概略構造図である。
【図５】本発明の実施形態３に従うホログラム記録情報パターンに同期パターンを入れ、同期パターンで指示した領域に記録したデータ記録領域の説明図。
【図６】図５に加えて、同期パターンをデータ配置の途中に配置した例。
【図７】図６に加えて、同期パターンをデータ配置の途中に配置した例。
【符号の説明】
１　ＣＣＤ等の受光素子の検出可能範囲
２　ホログラム再生したデータと同期パターン領域
２ａ　同期パターンの一例で、データ領域の一端を示す
２ｂ　同期パターンの一例で、データ領域の一端を示す
２ｃ　同期パターンの一例で、データパターン領域の一端を示す
２ｄ　同期パターンの一例で、データパターン領域の一端を示す
２ｅ　同期パターンの一例で、データパターン領域の一端を示す
２ｆ　同期パターンの一例で、データパターン領域の一端を示す
３　同期パターンで示唆されたデータパターン
１０　ホログラム記録層
２０　光入射側保持基板
２１　光入射面
２２　誘電体膜（防湿層）
２３　保護膜
２４　未処理面
３０　サーボパターン付き保持基板
３１　スタンパ
３２　サーボパターン（スタンパ）
３３　サーボパターン（基板）
３４　誘電体膜（防湿層）
３５　保護膜
４０　ホログラム記録媒体
４１　内周部（φ１５ｍｍ近傍）
４２　外周部（φ１３０ｍｍ近傍）
４３　オプチカルフラットガラ板
５０　遮光カートリッジ
５０’　赤色スケルトンカートリッジ
６０　ホログラム記録像
６１　記録ブロック
６２　記録トラック
７０　サーボパターン付き保持基板
７３　サーボパターン
７４　サーボパターン
８０　サーボ用赤色レーザビーム
８１　記録用青色レーザビーム
８２　参照用青色レーザビーム
【図１】
2004029476.tif 000004
【図２】
2004029476.tif 000005
【図３】
2004029476.tif 000006
【図４】
2004029476.tif 000007
【図５】
2004029476.tif 000008
【図６】
2004029476.tif 000009
【図７】
2004029476.tif 000010